(57)【要約】      （修正有）【課題】ＬＥＤ照明ユニットをライン状に並設して点灯した場合、光らない連結部を目立ち難くし、ライン状照明の連続性が保たれるＬＥＤ照明器具を提供する。【解決手段】ＬＥＤ照明器具１は、ＬＥＤモジュール２と、一対の長形の側板１２、一対の側板１２が正対し一対の側板１２の短手方向の下端間に形成された下方開口１８Ａおよび一対の側板１２の長手方向の両端１２ｇ，１２ｈ間に設けられ短手方向の下端側に側方開口１８Ｂが形成された一対の端板１３Ａ，１３Ｂを有し、発光ダイオード８の放射光が下方開口１８Ａおよび側方開口１８Ｂから出射されるようにＬＥＤモジュール２の基板９を配設している器具本体４と、造営物に取付けられたシャーシと、シャーシに器具本体４を取付ける取付手段を具備している。【選択図】図６
2011192579.tif 000002
【特許請求の範囲】
【請求項１】
発光ダイオードが一方の面側に実装された長形の基板を有するＬＥＤモジュールと；
一対の長形の側板、この一対の側板が正対し一対の側板の短手方向の下端間に形成された下方開口および一対の側板の長手方向の両端間に設けられ短手方向の下端側に側方開口が形成された一対の端板を有し、前記発光ダイオードの放射光が下方開口および側方開口から出射されるように前記ＬＥＤモジュールの基板が一対の側板間に一対の側板の長手方向に沿って配設された器具本体と；
造営物に取付けられたシャーシと；
このシャーシに器具本体を取付ける取付手段と；
を具備していることを特徴とするＬＥＤ照明器具。
【請求項２】
器具本体の一対の側板には、その短手方向の下端側に互いに向き合う一対の突出部がその長手方向に亘って形成され、下方開口には、当該突出部に係止される透光性カバーが取付けられており、一対の端板の側方開口には、一対の側板側縁部に透光性カバーの端部が当接する延出部が形成されていることを特徴とする請求項１記載のＬＥＤ照明器具。
【発明の詳細な説明】
【技術分野】
【０００１】
発光ダイオードを光源とし、その放射光を照明に利用する天井等の造営物に取付けられるＬＥＤ照明器具に関する。
【背景技術】
【０００２】
この種のＬＥＤ照明器具は、消費電力が低く、ランプ交換などの保守作業を半永久的に要しないなどの理由により、従来の蛍光灯照明器具の代替品として開発が進められ、普及しつつある。ＬＥＤ照明器具は、通常、複数個の発光ダイオードを基板に実装して形成されたＬＥＤモジュールが筐体（器具本体）に直接取り付けられている。したがって、ＬＥＤ照明器具には、天井に取り付ける際に、作業者が発光ダイオードに触れることがないように、ＬＥＤモジュールを筐体内に収容する構造のものがある。
【０００３】
また、ＬＥＤ照明器具は、天井に連結または隣接するようにして取り付けられることがある。例えば、ＬＥＤ照明ユニットをライン状で連結可能なＬＥＤ照明装置が提案されている（特許文献１参照。）。この従来技術のＬＥＤ照明装置は、ＬＥＤ照明装置の一端にオスコネクタ、他端にメスコネクタを備え、オスコネクタを連結するＬＥＤ照明ユニットのメスコネクタに差し込むことにより、ＬＥＤ照明ユニットがライン状に並設される。
【０００４】
また、器具本体同士を共通の端板で連結する照明器具が提案されている（特許文献２参照。）。この従来技術の照明器具は、表面に複数の直線状プリズムを設けたリニアフレネルレンズを器具本体の開口を覆うように器具本体に設置しているものであり、好適な光の照射方向や照射範囲を得ることができる。
【先行技術文献】
【特許文献】
【０００５】
【特許文献１】特開２００９−９９３６３号公報（第６〜７頁、第５〜６図）
【特許文献２】特開２００８−２１８１８６号公報（第９頁、第１４図）
【発明の概要】
【発明が解決しようとする課題】
【０００６】
特許文献１のＬＥＤ照明装置は、ＬＥＤ照明ユニットの連結部がオスコネクタおよびメスコネクタに形成されているので、ライン状に並設して点灯した場合、光らない当該連結部が目立ちやすく、ライン状照明の連続性が損なわれるという欠点を有する。
【０００７】
また、特許文献２の照明器具は、リニアフレネルレンズでの光吸収等により照射光の損失が発生するという欠点を有し、また、リニアフレネルレンズの配設により高価になるという欠点を有する。
【０００８】
本発明は、簡易な構成であって、ライン状照明が均一化されるＬＥＤ照明器具を提供することを目的とする。
【課題を解決するための手段】
【０００９】
請求項１に記載のＬＥＤ照明器具の発明は、発光ダイオードが一方の面側に実装された長形の基板を有するＬＥＤモジュールと；一対の長形の側板、この一対の側板が正対し一対の側板の短手方向の下端間に形成された下方開口および一対の側板の長手方向の両端間に設けられ短手方向の下端側に側方開口が形成された一対の端板を有し、前記発光ダイオードの放射光が下方開口および側方開口から出射されるように前記ＬＥＤモジュールの基板が一対の側板間に一対の側板の長手方向に沿って配設された器具本体と；造営物に取付けられたシャーシと；このシャーシに器具本体を取付ける取付手段と；を具備していることを特徴とする。
【００１０】
本発明および以下の発明において、特に言及しない限り、各構成は以下による。
【００１１】
「長形」とは、縦方向、横方向の大きさ（寸法）のうち、例えば横方向の大きさが大きいことを意味する。すなわち、基板は、一般的に、長方形に形成されるが、これに限らず、長方形から変形しているものも許容される。
【００１２】
ＬＥＤモジュールは、放熱板に熱結合されると、発光ダイオードに発生した熱が迅速に放熱される。ここで、当該放熱板は、熱伝導度率が大きいほどよく、例えばアルミニウム（Ａｌ）やニッケル（Ｎｉ）で形成することができる。
【００１３】
一対の端板は、少なくとも一方に側方開口が設けられるようにしてもよい。
【００１４】
造営物は、例えば、天井や天井から吊り下げられあるいは壁等に支持されたボードである。
【００１５】
取付手段は、ネジ、バネ材、ラッチ金具など、器具本体をシャーシに固定するものであればよい。
【００１６】
発光ダイオードは、点灯装置により点灯される。点灯装置は、シャーシに配設されていてもよく、器具本体内に配設されていてもよく、シャーシおよび器具本体と別置され、例えば造営物に配設されていてもよい。
【００１７】
本発明によれば、一対の端板に側方開口が形成されているので、造営物に対してＬＥＤ照明器具をライン状に連設した場合に隣接するＬＥＤ照明器具の側方開口同士が近接対向する。そして、ＬＥＤモジュールの基板を一対の側板間に一対の側板の長手方向に沿って配設しているので、基板が器具本体の両端まで配設される。器具本体の両端側に位置する発光ダイオードから放射された放射光は、側方開口を通過して隣接するＬＥＤ照明器具の下方開口から外部空間に出射される。
【００１８】
請求項２に記載のＬＥＤ照明器具の発明は、請求項１記載のＬＥＤ照明器具の発明において、器具本体の一対の側板には、その短手方向の下端側に互いに向き合う一対の突出部がその長手方向に亘って形成され、下方開口には、当該突出部に係止される透光性カバーが取付けられており、一対の端板の側方開口には、一対の側板側縁部に透光性カバーの端部が当接する延出部が形成されていることを特徴とする。
【００１９】
本発明によれば、透光性カバーは、一対の側板の長手方向に移動しようとすると、端板の延出部に当接することで位置規制が可能となる。
【発明の効果】
【００２０】
請求項１の発明によれば、発光ダイオードの放射光が器具本体の側方開口から外方に出射されるので、ＬＥＤ照明器具をライン状に連設した場合に、ライン状で均一化された照明光を出射することができて、ライン状での照明むらを防止することができる。
【００２１】
請求項２の発明によれば、器具本体の一対の突出部に係止される透光性カバーは、端板の延出部によって一対の側板の長手方向への移動が規制されるので、透光性カバーを固定部材により固定する必要がなく、これにより、ＬＥＤ照明器具のコストアップを抑制することができる。
【図面の簡単な説明】
【００２２】
【図１】本発明の実施例１を示すＬＥＤ照明器具の概略縦断面図。
【図２】同じく、取付手段による取付状態を示すＬＥＤ照明器具の一部拡大概略縦断面図。
【図３】同じく、ＬＥＤ照明器具を示し、（ａ）は概略正面図、（ｂ）は概略下面図。
【図４】同じく、一方の端板を示し、（ａ）は概略背面図、（ｂ）は概略側面図。
【図５】同じく、他方の端板を示し、（ａ）は概略背面図、（ｂ）は概略側面図。
【図６】同じく、ＬＥＤ照明器具の概略斜視図。
【図７】同じく、ライン状に連設されたＬＥＤ照明器具の一部概略横断面図。
【図８】本発明の実施例２を示すＬＥＤ照明器具の概略縦断面図。
【発明を実施するための形態】
【００２３】
以下、本発明の一実施の形態について、図面を参照して説明する。
【００２４】
本発明において、器具本体は、一対の長形の側板、この一対の側板を正対させて下方開口および側方開口を形成する一対の端板を備えていて、ＬＥＤモジュールの基板を一対の側板間に一対の側板の長手方向に沿って配設している。これにより、発光ダイオードの放射光は、下方開口側から外部空間に出射されるとともに、側方開口側からも外部空間に出射される。したがって、ライン状に連設されたＬＥＤ照明器具は、発光ダイオードの放射光が途切れることなくライン状に出射されるとともに、ライン状で均一化される。
【実施例１】
【００２５】
図１ないし図７は、本発明の実施例１を示し、図１はＬＥＤ照明器具の概略縦断面図、図２は取付手段による取付状態を示すＬＥＤ照明器具の一部拡大概略縦断面図、図３はＬＥＤ照明器具を示し、（ａ）は概略正面図、（ｂ）は概略下面図、図４は一方の端板を示し、（ａ）は概略背面図、（ｂ）は概略側面図、図５は他方の端板を示し、（ａ）は概略背面図、（ｂ）は概略側面図、図６はＬＥＤ照明器具の概略斜視図、図７はライン状に連設されたＬＥＤ照明器具の一部概略横断面図である。
【００２６】
図１において、ＬＥＤ照明器具１は、ＬＥＤモジュール２、このＬＥＤモジュール２を取付けている放熱板３、器具本体４、シャーシ５および取付手段としての取付け金具６を有して構成されている。ＬＥＤ照明器具１は、造営物としての天井７に直付けされる直付型照明器具である。
【００２７】
ＬＥＤモジュール２は、発光ダイオード８および基板９を有して形成されている。発光ダイオード８は、ＬＥＤチップを有する面実装タイプの素子であり、可視光例えば白色光を放射するように形成されている。基板９は、例えば１ｍｍの厚さを有するアルミニウム（Ａｌ）板からなり、長方形に形成され、図示しない絶縁層を介して一方の面９ａ側の短手方向中央部に、その長手方向に亘って複数個の発光ダイオード８を所定の間隔で直線状に実装している。発光ダイオード８は、基板９に形成された図示しない配線パターンにより直列接続されている。
【００２８】
放熱板３は、比較的高い熱伝導率を有する金属例えばアルミニウム（Ａｌ）からなり、平面状に形成された長方形の底板部１０およびこの底板部１０の短幅方向の両端から拡開状に連設する一対の傾斜板部１１，１１を有している。底板部１０には、基板９の他方の面９ｂ側が取付けられている。すなわち、底板部１０は、基板９の他方の面９ｂ側を密接するようにして、基板９を図示しないネジにより取付けている。また、底板部１０は、図３（ｂ）または図６に示すように、長方形の長手方向に沿って例えば４個のＬＥＤモジュール２（基板９）を直線状に連続的に取付けている。すなわち、放熱板３には、ＬＥＤモジュール２が複数個取付けられている。
【００２９】
一対の傾斜板部１１，１１は、図１に示すように、底板部１０の短幅方向の両端からＬＥＤモジュール２の基板９を挟み互いに次第に拡開する傾斜面を有するように形成されている。そして、一対の傾斜板部１１，１１の内面１１ａ，１１ａは、例えば白色塗装されて反射面に形成されている。
【００３０】
器具本体４は、一対の長形の側板１２，１２と、この一対の側板１２，１２の長手方向の両端１２ｇ，１２ｈ（図３に示す。）にそれぞれ設けられた一対の端板１３Ａ，１３Ｂを有して構成されている。一対の側板１２，１２および一対の端板１３Ａ，１３Ｂは、例えば鋼板により形成されている。
【００３１】
一対の側板１２，１２は、一対の側板上部１２ａ，１２ａ、一対の側板下部１２ｂ，１２ｂおよび一対の側板上端部１２ｃ，１２ｃに形成されている。一対の側板上部１２ａ，１２ａは、一対の側板１２，１２の長形の短手方向の中間部１２ｄ，１２ｄから短手方向の上端１２ｅ，１２ｅ側に向かって互いに次第に拡開する傾斜面に形成されている。そして、一対の側板上部１２ａ，１２ａには、一対の側板１２，１２の長形の長手方向の両端１２ｇ，１２ｈ（図３に示す。）側に、係止孔１５，１５がそれぞれ形成されている。この係止孔１５，１５は、それぞれ長方形に形成され、一対の側板１２，１２の互いに正対する位置に対を成すように設けられている。
【００３２】
一対の側板下部１２ｂ，１２ｂは、一対の側板１２，１２の長形の短手方向の中間部１２ｄ，１２ｄから短手方向の下端１２ｆ，１２ｆ側に向かって互いに次第に拡開する傾斜面に形成されている。そして、一対の側板下部１２ｂ，１２ｂは、それぞれの傾斜面が放熱板３の一対の傾斜板部１１，１１の傾斜面に隙間を形成して接近または近接するようにして略同じ傾斜角度で形成されている。
【００３３】
一対の側板上端部１２ｃ，１２ｃは、一対の側板上部１２ａ，１２ａにそれぞれ連設され、一対の側板１２，１２の長形の短手方向の上端１２ｅ，１２ｅ側に中間部１２ｄ，１２ｄに対して起立する鉛直面に形成されている。
【００３４】
そして、一対の側板下部１２ｂ，１２ｂの下端１２ｆ，１２ｆ側は、一対の側板１２，１２の長形の長手方向に亘って、互いに向き合う突出部１４，１４に形成されている。突出部１４，１４は、一対の側板下部１２ｂ，１２ｂの下端１２ｆ，１２ｆの内面より５〜１５ｍｍ突出している。
【００３５】
一対の端板１３Ａ，１３Ｂのうち、端板１３Ａは、図４に示すように、外形が一対の側板１２，１２の内面に沿う平板部１６を有して形成され、一対の側板１２，１２の長手方向の一端１２ｇの内面に設けられている。
【００３６】
また、端板１３Ａは、それぞれ側方端１３ａ，１３ａに平板部１６の平面に直交し、一対の側板１２，１２の各内面に密接または近接する補強片１９ａ〜１９ｄが平板部１６から突出して設けられている。また、上端１３ｂに補強片１９ｅが、下端１３ｃに補強片１９ｆがそれぞれ上記同様に突出形成されている。これらの補強片１９ａ〜１９ｆは、薄板の端板１３Ａの変形を防止する。
【００３７】
また、一対の補強片１９ａ，１９ａおよび一対の補強片１９ｄ，１９ｄは、一対の側板１２，１２を取付ける取付片となっている。すなわち、図１に示すように、一対の補強片１９ａ，１９ａは、一対の側板１２，１２の一対の側板上端部１２ｃ，１２ｃの内面に、側板上端部１２ｃとその先端側の折り返し部１２ｃａ（図２に示す。）とより共締めされている。また、一対の補強片１９ｄ，１９ｄは、一対の側板１２，１２の一対の側板下部１２ｂ，１２ｂの内面にリベット２０により取付けられている。一対の側板下部１２ｂ，１２ｂには、リベット２０を挿通させる図示しない孔が形成され、一対の補強片１９ｄ，１９ｄには、リベット２０を挿通させる孔２１（図４（ｂ）に示す。）が形成されている。
【００３８】
端板１３Ｂは、図５に示すように、端板１３Ａと同様に形成されるが、下端１３ｃ側に器具本体４の側方開口１８Ｂを形成する切り欠き部１３Ｄが形成されている。そして、この切り欠き部１３Ｄにより、一対の側板１２，１２の側縁部に位置する一対の延出部１９ｇ，１９ｇが形成されている。また、切り欠き部１３Ｄには、端板１３Ａの補強片１９ｆに対応する補強片１９ｆ２が形成されている。そして、端板１３Ｂは、一対の側板１２，１２の長手方向の他端１２ｇの内面に設けられている。
【００３９】
そして、一対の端板１３Ａ，１３Ｂは、その平板部１６，１６の外面が一対の側板１２，１２の長手方向の両端１２ｇ，１２ｈの端面からそれぞれ幾分例えば０．５〜１．０ｍｍ突出するようにして、一対の側板１２，１２を取付けている。こうして、一対の端板１３Ａ，１３Ｂは、一対の側板１２，１２の長手方向の一端１２ｇ，１２ｇ間または他端１２ｈ，１２ｈ間を閉塞または略閉塞している。そして、一対の端板１３Ａ，１３Ｂの配設により、一対の側板１２，１２が所定の間隔で正対し、一対の側板１２，１２の短手方向の上端１２ｅ，１２ｅ間に上方開口１７を、同じく下端１２ｆ，１２ｆ（突出部１４，１４）間に下方開口１８Ａを、端板１３Ｂに側方開口１８Ｂをそれぞれ有するように略筒状枠体を構成している。こうして、器具本体４には、上方開口１７、下方開口１８Ａおよび側方開口１８Ｂが形成される。
【００４０】
一対の端板１３Ａ，１３Ｂが一対の側板１２，１２に取付けられて器具本体４が組み立てられると、放熱板３の一対の傾斜板部１１，１１と、一対の側板１２，１２の一対の側板下部１２ｂ，１２ｂとが接近し、一対の側板１２，１２の中間部１２ｄ，１２ｄの内面間の間隔Ｌ１は、放熱板３の底板部１０の短幅よりも小さくなる。平板部１６，１６は、こうした寸法条件を満たすように、その大きさが設定されている。
【００４１】
放熱板３は、例えば、一対の側板１２，１２の長手方向の一端側１２ｇ，１２ｇに一方の端板１３Ａを取付けた後、他端側１２ｈ，１２ｈから一対の側板下部１１，１１間に挿入されて収容される。このとき、放熱板３の一対の傾斜板部１１，１１と、器具本体４の一対の突出部１４，１４との間に透光性カバー２２が挿入される。そして、一対の側板１２，１２の長手方向の他端側１２ｈ，１２ｈに他方の側板１３Ｂが取付けられる。
【００４２】
透光性カバー２２は、例えばアクリル樹脂からなり、長方形に形成されている。そして、透光性カバー２２は、突出部１４，１４に係止されることにより、器具本体４の下方開口１８Ａを略閉塞している。
【００４３】
放熱板３および透光性カバー２２は、一対の端板１３Ａ，１３Ｂにより、一対の側板１２，１２の長手方向への移動が規制される。すなわち、放熱板３および透光性カバー２２は、一対の側板１２，１２の長手方向へ移動しようとすると、それらの端部が端板１３Ａ，１３Ｂの平板部１６または延出部１９ｇ，１９ｇに当接して位置規制される。
【００４４】
また、放熱板３および透光性カバー２２は、器具本体４の上方開口１７側および下方開口１８Ａ側への移動が規制されている。すなわち、上方開口１７側へ移動しようとすると、一対の側板１２，１２の中間部１２ｄ，１２ｄの内面の間隔Ｌ１が放熱板３の底板部１０の短幅よりも小さいので、放熱板３の底板部１０が前記中間部１２ｄ，１２ｄの内面に達する前に一対の側板下部１２ｂ，１２ｂのそれぞれの内面に当接する。また、下方開口１８Ａ側への移動は、透光性カバー２２が一対の突出部１４，１４に当接することにより阻止される。
【００４５】
こうして、放熱板３および透光性カバー２２は、ネジ等の固定手段により固定されることなく、一対の側板１２，１２の一対の側板下部１２ｂ，１２ｂ間に収容されている。これにより、放熱板３の底板部１０は、器具本体４の上方開口１７に露出している。また、ＬＥＤモジュール２の基板９は、一対の側板１２，１２の一対の側板下部１２ｂ，１２ｂ間に一対の側板１２，１２の長手方向に沿って配設されている。したがって、発光ダイオード８の放射光は、一対の側板１２，１２の長手方向に亘って下部開口１８Ａから外部空間に出射される。
【００４６】
シャーシ５は、例えば１枚の鋼板からなり、長方形の平面部２３と、この平面部２３の短手方向の両端が平面部２３の長手方向に亘って平面部２３に対して直角に折り曲げられた一対の起立片２４，２４に形成されている。一対の起立片２４，２４は、シャーシ５を補強するために形成されている。平面部２３の背面２３ｂには、複数個の突部２５が形成されている。この突部２５は、天井面７ａとシャーシ５との間に隙間を形成しており、これにより、シャーシ５に取付けられるネジ等が天井面７ａに干渉することがない。
【００４７】
また、シャーシ５は、その短手方向の寸法が器具本体４の上方開口１７の短幅寸法よりも小さく、その長手方向の寸法が器具本体４の上方開口１７の長手寸法よりも小さくなるように形成されている。すなわち、シャーシ５は、その大きさが器具本体４の上方開口１７よりも小さく形成されている。
【００４８】
シャーシ５は、図示しないネジにより、その平面部２３が突部２５を介して造営物としての天井７の天井面７ａに取付けられている。平面部２３には、発光ダイオード８を点灯する点灯装置２６が配設されている。点灯装置２６は、図示しないネジにより、平面部２３の前面２３ａに取付けられている。また、平面部２３の前面２３ａには、図３（ａ）に示すように、電源端子２７が図示しないネジにより取付けられている。
【００４９】
点灯装置２６は、図示しない入力線を引き出しており、この入力線は、電源端子２７に接続されている。電源端子２７には、平面部２３および天井７にそれぞれ形成された図示しない孔を挿通して天井７の裏側から導入された電源線が接続されている。入力線および電源線は、電源端子２７において電気接続されている。
【００５０】
また、点灯装置２６は、図１に示すように、出力線２８を引き出しており、この出力線２８の先端には、雄コネクタ２９が取付けられている。各ＬＥＤモジュール２の基板９の他方の面９ｂには、中継端子３０がそれぞれ配設されている。放熱板３の底板部１０には、中継端子３０が挿通される図示しない孔が形成されている。中継端子３０は、基板９に形成されている配線パターンに電気接続している。そして、中継端子３０は、先端に雌コネクタ３１が取付けられたリード線３２を接続している。
【００５１】
出力線２８の雄コネクタ２９をリード線３２の雌コネクタ３１に接続することにより、点灯装置２６は、各ＬＥＤモジュール２の基板９において直列接続している発光ダイオード８の両端間に接続される。すなわち、点灯装置２６には、発光ダイオード８が直並列接続される。
【００５２】
点灯装置２６は、入力した交流電圧を直流電圧に変換して、定電流を発光ダイオード８に供給する周知回路を有して構成されている。発光ダイオード８は、点灯装置２６から供給される定電流が流れることにより点灯し、可視光例えば白色光を放射する。
【００５３】
取付手段としての取付け金具６は、器具本体４をシャーシ５に取付けるものであり、図３に示すように、シャーシ５の長手方向の両端側５ａ，５ｂにそれぞれ配設されている。そして、シャーシ５における当該配設位置は、器具本体４の一対の側板１２，１２の一対の側板上部１２ａ，１２ａに形成された係止孔１５，１５に対応して設けられている。
【００５４】
取付け金具６は、例えば５〜２０ｍｍの比較的幅小の１枚の金属板例えば鋼板を折り曲げて形成している。また、バネ性を有するように、例えば1〜２ｍｍの肉厚の金属板を用いて形成している。
【００５５】
取付け金具６は、図１に示すように、固定板３２、この固定板３２の両端に連設する一対の揺動板３３，３３およびこの一対の揺動板３３，３３にそれぞれ連設する一対の係合板３４，３４に形成されている。固定板３２は、平面状であり、複数個のネジ３５およびナット３６によりシャーシ５の平面部２３の前面２３ａに取付けられている。一対の揺動板３３，３３は、固定板３２から遠ざかるにつれ互いに次第に拡開するように形成されている。
【００５６】
一対の係合板３４，３４は、図２に示すように、それぞれ固定板３２と略平行となる方向であって、互いに遠ざかる反対側に突出する係合部３４ａおよびこの係合部３４ａから上側にカールされて互いに近づく方向に折り返された折り返し部３４ｂに形成されている。折り返し部３４ｂは、先端側が自由端であり、係合部３４ａとの隙間が伸縮するバネ性を有している。また、一対の揺動板３３，３３は、固定板３２の両端をそれぞれ支点として一対の揺動板３３，３３を結ぶ方向であって互いに近づく方向に振れるとともに弾性復帰するバネ性を有している。
【００５７】
そして、一対の係合板３４，３４は、図１に示すように、一対の側板１２，１２の一対の側板上部１２ａ，１２ａに形成された係止孔１５，１５に、一対の揺動板３３，３３の弾性復帰力によりそれぞれ挿入されるものである。一対の係合板３４，３４は、係止孔１５，１５に挿入されると、その係合部３４ａ，３４ａおよび折り返し部３４ｂ，３４ｂが一対の側板上部１２ａ，１２ａのそれぞれの外面から外方に突出し、係止孔１５，１５の縁部または内壁面により挟持される。そして、その反作用によって、係合部３４ａおよび折り返し部３４ｂが係止孔１５の縁部または内壁面に当接することにより、取付け金具６は、器具本体４を支持してシャーシ５に取付ける。
【００５８】
そして、取付け金具６が器具本体４をシャーシ５に取付けている状態で、一対の側板１２，１２の一対の側板上端部１２ｃ，１２ｃのそれぞれの上端縁および一対の端板１３Ａ，１３Ｂの上端１３ｂ，１３ｂのそれぞれの上端縁と、天井面７ａとの間に隙間３７が形成されるように、一対の揺動板３３，３３の全長が設定されている。隙間３７は、器具本体４の上方開口１７および内側と、器具本体４の外部空間とを連通させる。
【００５９】
器具本体４をシャーシ５に取付けるときには、一対の係合板３４，３４が一対の側板１２，１２の一対の側板上端部１２ｃ，１２ｃの内面にそれぞれ当接される。このとき、前もって雄コネクタ２９と雌コネクタ３１を接続する。そして、一対の揺動板３３，３３および一対の係合板３４，３４がそれぞれ互いに近づくように、一対の係合板３４，３４を押圧する。例えば手で一対の係合板３４，３４を掴んで、一対の係合板３４，３４に力を加える。一対の係合板３４，３４が一対の側板上端部１２ｃ，１２ｃの内面に当接すると、一対の揺動板３３，３３は、固定板３２を支点として、一対の揺動板３３，３３を結ぶ方向で互いに近づくように振れる。
【００６０】
そして、一対の係合板３４，３４は、器具本体４がシャーシ５に近づくように移動されるにしたがい、器具本体４の下方開口１８Ａ側に器具本体４を摺動しながら移動し、一対の側板上端部１２ｃ，１２ｃの内面から一対の傾斜上部１２ａ，１２ａの内面に当接する。そして、一対の傾斜上部１２ａ，１２ａに形成された係止孔１５，１５に達すると、一対の揺動板３３，３３の弾性復帰力により、一対の係合板３４，３４が係止孔１５，１５に挿入する。こうして、器具本体４は、取付け金具６によってシャーシ５に取付けられる。
【００６１】
逆に、器具本体４をシャーシ５から取外すときには、器具本体４を支えながら一対の係合板３４，３４を一対の傾斜上部１２ａ，１２ａの内側に押し込み、当該内面に当接させる。そして、器具本体４をシャーシ５から遠ざけるように移動させると、一対の係合板３４，３４は、やがて器具本体４の上方開口１７から開放される。これにより、器具本体４は、シャーシ５から取外れる。
【００６２】
ＬＥＤ照明器具１は、上述したように形成される。そして、ＬＥＤ照明器具１は、ライン状の両端側に端板１３Ａが位置するように、天井面７ａにライン状で連設（並設）される。ここで、ＬＥＤ照明器具１は、一対の側板１２，１２の長手方向の両端１２ｇ，１２ｈに端板１３Ｂを設けて、当該両端１２ｇ，１２ｈに側方開口１８Ｂ，１８Ｂを形成するようにしてもよいものである。この両端１２ｇ，１２ｈに側方開口１８Ｂ，１８Ｂが設けられたＬＥＤ照明器具１は、天井面７ａにライン状で連設される複数のＬＥＤ照明器具１の中間に位置するように設けられる。
【００６３】
そして、図７に示すように、隣接するＬＥＤ照明器具１，１の発光ダイオード８，８の間隔ｂ１がＬＥＤモジュール２の発光ダイオード８，８の実装間隔ａ１とほぼ同等となるように、各ＬＥＤ照明器具１は、天井面７ａにライン状で連設されている。こうして、発光ダイオード８の間隔ａ１は、ライン状で略均等になっている。
【００６４】
次に、本発明の実施例１の作用について述べる。
【００６５】
点灯装置２６に交流電源が供給されると、点灯装置２６が動作して、各ＬＥＤモジュール２に定電流が供給され、発光ダイオード８が点灯する。発光ダイオード８から可視光例えば白色光が放射される。この放射光は、器具本体４の下方開口１８Ａから外部空間に出射される。
【００６６】
そして、複数のＬＥＤ照明器具１は、図７に示すように、その側方開口１８Ｂ同士が連通するように天井面７ａにライン状で連設されていると、ＬＥＤモジュール２の基板９が一対の側板１２，１２間に一対の側板１２，１２の長手方向に沿って配設されているので、一対の側板１２，１２の両端１２ｇ，１２ｈ側に位置する発光ダイオード８から放射された放射光は、連通する側方開口１８Ｂ，１８Ｂを通過して隣接するＬＥＤ照明器具１の下方開口１８Ａから外部空間に出射される。
【００６７】
そして、隣接するＬＥＤ照明器具１，１の発光ダイオード８，８の間隔ｂ１がＬＥＤモジュール２の発光ダイオード８，８の実装間隔ａ１とほぼ同等となるように、複数のＬＥＤ照明器具１がライン状で連設されているので、発光ダイオード８の放射光は、途切れることがなく、ライン状で均一化される。
【００６８】
このように、発光ダイオード８の放射光が器具本体４の側方開口１８Ｂを通過して外部空間に出射されるので、天上面７ａにライン状に連設されたＬＥＤ照明器具１からライン状で均一化された照明光を出射することができて、ライン状での照明むらを防止することができる。
【００６９】
そして、器具本体４の側方開口１８Ｂは、端板１８Ｂにより、簡易な構成で形成することができるので、ＬＥＤ照明器具１を安価に形成することができる。
【００７０】
また、端板１３Ｂの延出部１９ｇ，１９ｇは、他方の端板１３Ａまたは他方の端板１３Ｂの延出部１９ｇ，１９ｇとの間で、透光性カバー２２の一対の側板１２，１２の長手方向への移動を規制するので、透光性カバー２２を固定部材等により固定する必要がなく、これにより、ＬＥＤ照明器具１のコストアップを抑制することができる。
【実施例２】
【００７１】
図８は、本発明の実施例２を示すＬＥＤ照明器具の概略縦断面図である。なお、図１と同一部分には、同一符号を付して説明は省略する。
【００７２】
図８に示すＬＥＤ照明器具３８は、図１に示すＬＥＤ照明器具１において、傾斜面を有する一対の側板下部１２ｂ，１２ｂが鉛直面を有する一対の側板下部１２ｂＡ，１２ｂＡに形成されたものである。そして、放熱板３Ａは、平面に形成されている。
【００７３】
一対の側板下部１２ｂＡ，１２ｂＡには、一対の突出部１４，１４に載置した断面コ字形の取付け部材３９，３９がリベット２０，２０により取付けられている。当該取付け部材３９，３９に、ネジ４０およびナット４１により、放熱板３Ａが取付けられている。取付け部材３９，３９には、器具本体４Ａの外部空間と内部空間を通気する小孔４２が長手方向に所定間隔で形成されている。
【００７４】
一対の突出部１４，１４間は開放されている。そして、ＬＥＤモジュール２の発光ダイオード８側は、図示しない絶縁性かつ透光性の樹脂で被覆されている。
【００７５】
ＬＥＤ照明器具３８は、図１に示すＬＥＤ照明器具１と同様に、天上面７ａにライン状に連設されたＬＥＤ照明器具１からライン状で均一化された照明光を出射することができて、ライン状での照明むらを防止することができる。
【産業上の利用可能性】
【００７６】
本発明は、天井等の造営物に直付けされる照明器具に用いることができる。
【符号の説明】
【００７７】
１，３８…ＬＥＤ照明器具、  ２…ＬＥＤモジュール、  ３，３Ａ…放熱板、  ４，４Ａ…器具本体、  ５…シャーシ、  ６…取付手段としての取付け金具、  ８…発光ダイオード、  ９…基板、  １２，１２…一対の側板、  １３Ａ，１３Ｂ…一対の端板、  １７…上方開口、  １８Ａ…下方開口、  １８Ｂ…側方開口
【図１】
2011192579.tif 000003
【図２】
2011192579.tif 000004
【図３】
2011192579.tif 000005
【図４】
2011192579.tif 000006
【図５】
2011192579.tif 000007
【図６】
2011192579.tif 000008
【図７】
2011192579.tif 000009
【図８】
2011192579.tif 000010